(57)【要約】【課題】  非視聴モードから視聴モードへ復帰した際のユーザの操作を簡易にすることが可能な携帯型のディジタル放送受信装置を提供する。【解決手段】  チューナ部は、ディジタル放送の放送波を受信する。出力部は、チューナ部によって受信された放送波から当該放送波に含まれる番組の映像および音声を出力する。モード切替部は、番組の映像および音声が出力される視聴モードと番組の映像および音声の出力が停止される非視聴モードとを切り替える。関連情報記憶部は、視聴モードから非視聴モードへ移行した場合、当該非視聴モード時にチューナ部によって受信された放送波から得られる番組関連情報を記憶する。表示制御部は、非視聴モードから視聴モードへ移行した後の所定のタイミングで、当該非視聴モード時に関連情報記憶部に記憶された番組関連情報を表示させる。【選択図】  図５
2006165670.tif 000002
【特許請求の範囲】
【請求項１】
ディジタル放送の放送波を受信するチューナ部と、
前記チューナ部によって受信された放送波に含まれる番組の映像および音声を出力する出力部と、
前記番組の映像および音声が出力される視聴モードと前記番組の映像および音声の出力が停止される非視聴モードとを切り替えるモード切替部と、
前記視聴モードから前記非視聴モードへ移行した場合、当該非視聴モード時に前記チューナ部によって受信された放送波から得られる番組関連情報を記憶する関連情報記憶部と、
前記非視聴モードから前記視聴モードへ移行した後の所定のタイミングで、当該非視聴モード時に前記関連情報記憶部に記憶された番組関連情報を表示させる関連情報表示制御部とを備える、携帯型のディジタル放送受信装置。
【請求項２】
前記チューナ部によって受信可能なチャンネルを示すチャンネルリストを記憶するリスト記憶部をさらに備え、
前記チューナ部は、前記非視聴モードにおいて、前記チャンネルリストに含まれる各チャンネルの放送波を時分割で受信する、請求項１に記載のディジタル放送受信装置。
【請求項３】
前記非視聴モード時において、前記チューナ部によって受信可能なチャンネルを特定し、特定されたチャンネルで構成されるように前記チャンネルリストを更新するリスト更新部をさらに備え、
前記チューナ部は、前記リスト更新部によって前記チャンネルリストが更新された場合、更新後のチャンネルリストに含まれる各チャンネルの放送波を時分割で受信する、請求項２に記載のディジタル放送受信装置。
【請求項４】
前記チューナ部によって受信された放送波には、地域識別情報が含まれており、
前記リスト更新部は、前記非視聴モード時において、前記チューナ部によって受信された放送波に含まれている地域識別情報に基づいて、前記チューナ部によって受信可能なチャンネルを特定する、請求項３に記載のディジタル放送受信装置。
【請求項５】
前記関連情報表示制御部は、前記非視聴モードから前記視聴モードへ移行した直後のタイミングで、当該非視聴モード時に前記関連情報記憶部に記憶された番組関連情報を前記表示装置に表示させる、請求項１に記載のディジタル放送受信装置。
【請求項６】
前記関連情報表示制御部は、前記視聴モードにおいてユーザから選局指示があったタイミングで、当該非視聴モード時に前記関連情報記憶部に記憶された番組関連情報を前記表示装置に表示させる、請求項１に記載のディジタル放送受信装置。
【請求項７】
前記関連情報記憶部は、前記チューナ部によって受信される放送波に含まれるセクションを解析することによって取得される電子番組情報を前記番組関連情報として記憶し、
前記関連情報表示制御部は、前記関連情報記憶部に記憶された電子番組情報を前記表示装置に表示させる、請求項１に記載のディジタル放送受信装置。
【請求項８】
前記電子番組情報には、番組の終了時刻を示す情報が少なくとも含まれており、
前記ディジタル放送受信装置は、前記非視聴モードにおいて、前記関連情報記憶部に記憶されている電子番組情報のうちの所定のチャンネルに関して最新の電子番組情報に含まれる番組の終了時刻を示す情報に基づいて、前記チューナ部が当該所定のチャンネルの放送波を次に受信すべき時刻を決定する時刻決定部をさらに備える、請求項７に記載のディジタル放送受信装置。
【請求項９】
前記関連情報記憶部は、前記チューナ部によって受信される放送波に含まれるセクションを記憶し、
前記関連情報表示制御部は、前記関連情報記憶部に記憶されたセクションを解析することによって得られる電子番組情報を前記表示装置に表示させる、請求項１に記載のディジタル放送受信装置。
【請求項１０】
ディジタル放送の放送波を受信するチューナ部と、
前記チューナ部によって受信された放送波に含まれる番組の映像および音声を出力する出力部と、
前記チューナ部によって受信可能なディジタル放送のチャンネルを示すチャンネルリストを記憶するリスト記憶部と、
前記番組の音声および映像が出力される視聴モードと、前記番組の音声および映像の出力が停止される非視聴モードとを切り替えるモード切替部と、
前記非視聴モード時において、前記チューナ部によって受信可能なチャンネルを特定し、特定されたチャンネルで構成されるように前記チャンネルリストを更新するリスト更新部をさらに備える、携帯型のディジタル放送受信装置。
【請求項１１】
前記リスト更新部は、受信し得る全てのチャンネルについて受信可能か否かを検出することによって、前記チューナ部によって受信可能なチャンネルを特定する、請求項１０に記載のディジタル放送受信装置。
【請求項１２】
前記チューナ部によって受信された放送波には、地域識別情報が含まれており、
前記リスト更新部は、前記非視聴モード時において、前記チューナ部によって受信された放送波に含まれている地域識別情報に基づいて、前記チューナ部によって受信可能なチャンネルを特定する、請求項１０に記載のディジタル放送受信装置。
【請求項１３】
ディジタル放送の番組の映像および音声が出力される視聴モードと当該番組の映像および音声の出力が停止される非視聴モードとを有する携帯型のディジタル放送受信装置において用いられる方法であって、
前記視聴モードから前記非視聴モードへ移行した場合、ディジタル放送の放送波を受信し、
前記非視聴モード時に受信された放送波から得られる番組関連情報を記憶し、
前記非視聴モードから前記視聴モードへ移行した後の所定のタイミングで、当該非視聴モード時に前記記憶された番組関連情報を表示させる、番組関連情報の表示方法。
【請求項１４】
ディジタル放送の番組の映像および音声が出力される視聴モードと当該番組の映像および音声の出力が停止される非視聴モードとを有する携帯型のディジタル放送受信装置において用いられる方法であって、
前記ディジタル放送受信装置は、受信可能なディジタル放送のチャンネルを示すチャンネルリストを記憶するリスト記憶部を備えており、
前記非視聴モード時において、前記受信可能なチャンネルを特定し、
前記特定されたチャンネルで構成されるように前記チャンネルリストを更新する、チャンネルリストの更新方法。
【発明の詳細な説明】
【技術分野】
【０００１】
本発明はディジタル放送受信装置に関し、より特定的には、番組を視聴する視聴モードと番組を視聴しない非視聴モード（例えば省電力モード）とを有するディジタル放送受信装置に関する。
【背景技術】
【０００２】
近年、テレビ放送の信号をディジタル化した、ディジタル放送が普及している。現在日本においては、放送衛星を利用した衛星ディジタル放送や、アナログ放送に代わる地上ディジタル放送が放送され、普及しようとしている。地上ディジタル放送においては、屋内据置型のディジタル放送受信装置以外にも、気軽に持ち運ぶことができ屋外でも視聴することができる携帯型のディジタル放送受信装置が開発されている。
【０００３】
従来、携帯型電子機器の電力消費量を抑える目的で省電力モードを持つ携帯型電子機器が存在する。例えば、圧縮音声データを復号して、原音声データを得る音声処理部と、圧縮映像データを復号して原映像データを得る映像処理部と、原音声データを出力する音声部と、原映像データを出力する表示部とを有する音声映像再生装置において、消費電力を抑える技術がある（例えば、特許文献１参照。）。この音声映像再生装置では、表示部が非動作状態とされている間、映像処理部での圧縮映像データの復号処理を停止する構成とすることによって、消費電力が抑えられる。
【特許文献１】特開２００３−８７３６９号公報
【発明の開示】
【発明が解決しようとする課題】
【０００４】
上記のような携帯型のディジタル放送受信装置（以下、携帯ディジタル放送受信装置と記す）に関しては、ディジタル放送の番組を視聴中に一時的に省電力モードに移行し、その後視聴モードに復帰するような状況が考えられる。例えば、電車に乗っている間は番組が視聴され、電車を乗り換える際には視聴が一時停止されて省電力モードに設定され、電車を乗り換えた後に視聴が再開されるといった利用シーンが予想される。このような利用シーンにおいて、電車乗り換え後に省電力モードから復帰して視聴が再開された際には、前回の視聴からある程度の時間が経過してしまったために、（１）「今まで見ていた番組にユーザが興味を失う」、（２）「視聴していた番組が終了する」、（３）「放送エリアが変わる」などの状況が考えられる。このような状況が生じた場合、ユーザは選局操作を行って嗜好に合った番組を探さなければならない。ここで、ディジタル放送では、その放送形式から選局に時間がかかることが知られている。したがって、ディジタル放送受信装置では、選局操作を行いながら嗜好にあった番組をユーザが選択することは非常に時間がかかる。これはユーザにとって不便である。
【０００５】
また、携帯ディジタル放送受信装置においては、現時点で受信可能なチャンネルを示すチャンネルリストが保持されている。放送エリアが変化したことを携帯ディジタル放送受信装置が検知した場合には、チャンネルリストが更新される。ここで、省電力モード時において上記（３）の状況が生じた場合、従来の携帯ディジタル放送受信装置では、放送エリアが変わったことを装置が認識することができない。したがって、省電力モードから復帰した時には省電力モード前のチャンネルリストが保持され、その結果、チャンネルリストの内容が適切でなくなる恐れがある。このとき、ユーザは、選局操作や、チャンネルリストの更新によって、受信可能なチャンネルを自分で探さなければならない。
【０００６】
なお、以上の問題は、省電力モードから視聴モードへ復帰した場合に限らず、省電力モード以外の他の非視聴モードから視聴モードへ復帰する場合にも生じる。例えば、番組の視聴中においてメールが届いたり電話がかかってきたりしたために他のモードになり、その後視聴モードに復帰する場合にも、上記と同様の問題が生じる。
【０００７】
それ故、本発明の目的は、非視聴モードから視聴モードへ復帰した際のユーザの操作を簡易にすることが可能な携帯型のディジタル放送受信装置を提供することである。
【課題を解決するための手段】
【０００８】
本発明は、上記の課題を解決するために、以下の構成を採用した。
すなわち、第１の発明は、ディジタル放送の放送波を受信するチューナ部と、チューナ部によって受信された放送波から当該放送波に含まれる番組の映像および音声を出力する出力部と、番組の映像および音声が出力される視聴モードと番組の映像および音声の出力が停止される非視聴モードとを切り替えるモード切替部と、視聴モードから非視聴モードへ移行した場合、当該非視聴モード時にチューナ部によって受信された放送波から得られる番組関連情報を記憶する関連情報記憶部と、非視聴モードから視聴モードへ移行した後の所定のタイミングで、当該非視聴モード時に関連情報記憶部に記憶された番組関連情報を表示させる関連情報表示制御部とを備える、携帯型のディジタル放送受信装置である。
【０００９】
また、第２の発明においては、ディジタル放送受信装置は、チューナ部によって受信可能なチャンネルを示すチャンネルリストを記憶するリスト記憶部をさらに備えていてもよい。このとき、チューナ部は、非視聴モードにおいて、チャンネルリストに含まれる各チャンネルの放送波を時分割で受信する。
【００１０】
また、第３の発明においては、ディジタル放送受信装置は、非視聴モード時において、チューナ部によって受信可能なチャンネルを特定し、特定されたチャンネルで構成されるようにチャンネルリストを更新するリスト更新部をさらに備えていてもよい。このとき、チューナ部は、リスト更新部によってチャンネルリストが更新された場合、更新後のチャンネルリストに含まれる各チャンネルの放送波を時分割で受信する。
【００１１】
また、第４の発明においては、チューナ部によって受信された放送波には、地域識別情報が含まれていてもよい。このとき、リスト更新部は、非視聴モード時において、チューナ部によって受信された放送波に含まれている地域識別情報に基づいて、チューナ部によって受信可能なチャンネルを特定する。
【００１２】
また、第５の発明においては、関連情報表示制御部は、非視聴モードから視聴モードへ移行した直後のタイミングで、当該非視聴モード時に関連情報記憶部に記憶された情報を表示装置に表示させてもよい。
【００１３】
また、第６の発明においては、関連情報表示制御部は、視聴モードにおいてユーザから選局指示があったタイミングで、当該非視聴モード時に関連情報記憶部に記憶された情報を表示装置に表示させてもよい。
【００１４】
また、第７の発明においては、関連情報記憶部は、チューナ部によって受信される放送波に含まれるセクションを解析することによって取得される電子番組情報を番組関連情報として記憶してもよい。このとき、関連情報表示制御部は、関連情報記憶部に記憶された電子番組情報を表示装置に表示させる。
【００１５】
また、第８の発明においては、電子番組情報には、番組の終了時刻を示す情報が少なくとも含まれていてもよい。このとき、ディジタル放送受信装置は、非視聴モードにおいて、関連情報記憶部に記憶されている電子番組情報のうちの所定のチャンネルに関して最新の電子番組情報に含まれる番組の終了時刻を示す情報に基づいて、チューナ部が当該所定のチャンネルの放送波を次に受信すべき時刻を決定する時刻決定部をさらに備える。
【００１６】
また、第９の発明においては、関連情報記憶部は、チューナ部によって受信される放送波に含まれるセクションを記憶してもよい。このとき、関連情報表示制御部は、関連情報記憶部に記憶されたセクションを解析することによって得られる電子番組情報を表示装置に表示させる。
【００１７】
また、第１０の発明は、ディジタル放送の放送波を受信するチューナ部と、チューナ部によって受信された放送波から当該放送波に含まれる番組の映像および音声を出力する出力部と、チューナ部によって受信可能なディジタル放送のチャンネルを示すチャンネルリストを記憶するリスト記憶部と、番組の音声および映像が出力される視聴モードと、番組の音声および映像の出力が停止される非視聴モードとを切り替えるモード切替部と、非視聴モード時において、チューナ部によって受信可能なチャンネルを特定し、特定されたチャンネルで構成されるようにチャンネルリストを更新するリスト更新部をさらに備える、携帯型のディジタル放送受信装置である。
【００１８】
また、第１１の発明においては、リスト更新部は、受信し得る全てのチャンネルについて受信可能か否かを検出することによって、チューナ部によって受信可能なチャンネルを特定してもよい。
【００１９】
また、第１２の発明においては、チューナ部によって受信された放送波には、地域識別情報が含まれていてもよい。このとき、リスト更新部は、非視聴モード時において、チューナ部によって受信された放送波に含まれている地域識別情報に基づいて、チューナ部によって受信可能なチャンネルを特定する。
【００２０】
また、本発明は、上記のディジタル放送受信装置において実行される番組関連情報の表示方法として提供されてもよい。
すなわち、第１３の発明は、ディジタル放送の番組の映像および音声が出力される視聴モードと当該番組の映像および音声の出力が停止される非視聴モードとを有する携帯型のディジタル放送受信装置において用いられる方法であって、視聴モードから非視聴モードへ移行した場合、ディジタル放送の放送波を受信し、非視聴モード時に受信された放送波から得られる番組関連情報を記憶し、非視聴モードから視聴モードへ移行した後の所定のタイミングで、当該非視聴モード時に記憶された番組関連情報を表示させる、番組関連情報の表示方法である。
【００２１】
また、第１４の発明は、ディジタル放送の番組の映像および音声が出力される視聴モードと当該番組の映像および音声の出力が停止される非視聴モードとを有する携帯型のディジタル放送受信装置において用いられる方法であって、ディジタル放送受信装置は、チューナによって受信可能なディジタル放送のチャンネルを示すチャンネルリストを記憶するリスト記憶部を備えており、非視聴モード時において、チューナによって受信可能なチャンネルを特定し、特定されたチャンネルで構成されるようにチャンネルリストを更新する、チャンネルリストの更新方法である。
【発明の効果】
【００２２】
第１の発明によれば、非視聴モード中に各放送局の番組関連情報を取得することによって、視聴モードへ復帰した際の所定のタイミングで番組関連情報をユーザに提示することができる。したがって、ユーザは、提示された番組関連情報を参照することによって、視聴モード復帰後において好みの番組を簡単に探すことができる。ユーザは、好みの番組を探すために従来のように各チャンネルを総当たりで選局する必要がないので、非視聴モードから視聴モードへ復帰した際の操作を簡単かつ素早く行うことができる。
【００２３】
また、第２の発明によれば、受信し得る全てのチャンネルを選局しないので、各チャンネルを選局する処理を迅速に行うことができる。
【００２４】
また、第３の発明によれば、非視聴モード時においてもチャンネルリストが更新されるので、受信可能なチャンネルを正確に特定することができる。したがって、受信が不可能なチャンネルについて無駄に選局処理を行うことを防止することができる。
【００２５】
また、第４の発明によれば、地域識別情報を用いることによって、受信可能なチャンネルを簡単に特定することができる。
【００２６】
また、第５の発明によれば、非視聴モードから視聴モードへ復帰したタイミングでユーザに番組関連情報を提示することができる。
【００２７】
また、第６の発明によれば、ユーザが必要とするタイミングで番組関連情報を提示することができる。
【００２８】
また、第７の発明によれば、非視聴モード時においてセクションを解析しておくので、視聴モードへ復帰する際の処理が簡易になる。
【００２９】
また、第８の発明によれば、電子番組情報が更新されるタイミングで電子番組情報を取得する処理が行われるので、同じ電子番組情報を何度も取得したり、更新された電子番組情報が取得されなかったりすることがなく、電子番組情報を効率よく取得することができる。
【００３０】
また、第９の発明によれば、非視聴モード時にセクションを解析する処理を行わずに済むので、非視聴モード時における消費電力を低減することができる。
【００３１】
また、第１０の発明によれば、非視聴モード時に受信可能なチャンネルを特定しておくことによって、視聴モードへ復帰した際に正確なチャンネルリストを保持することができる。したがって、ユーザは、視聴モード復帰時にチャンネルリストを構築し直す必要がないので、非視聴モードから視聴モードへ復帰した際の操作が簡易になる。
【００３２】
また、第１１の発明によれば、受信し得る全てのチャンネルについて実際に受信が可能であるか否かを判断するので、受信可能なチャンネルを正確に特定することができる。
【００３３】
また、第１２の発明によれば、地域識別情報を用いることによって、受信可能なチャンネルを簡単に特定することができる。
【発明を実施するための最良の形態】
【００３４】
（第１の実施形態）
図１は、本発明の第１の実施形態に係る携帯ディジタル放送受信装置の構成を示す図である。携帯ディジタル放送受信端末は、チューナ部１と、復調部２と、トランスポートデコーダ部３と、関連情報記憶部４と、音声復号部５と、音声出力部６と、映像復号部７と、セクション解析部８と、表示部９と、モード切替部１０と、関連情報表示制御部１１とを備える。図１に示す携帯ディジタル放送受信装置は、ディジタル放送の放送波を受信し、ディジタル放送の番組を映像および音声で出力するものである。
【００３５】
ここで、第１の実施形態に係る携帯ディジタル放送受信装置は、視聴モードおよび非視聴モードを有する。視聴モードとは、チューナを用いてデジタル放送を受信し、ディジタル放送の番組を映像、または音声、または映像と音声で出力することによって番組を視聴するモードである。一方、非視聴モードとは、チューナを用いてデジタル放送を受信してないモードである。非視聴モードでは、放送番組を視聴していない。非視聴モードには、例えば省電力モードが該当する。省電力モードとは、携帯ディジタル放送受信装置が有する表示装置（表示部９）やスピーカ（音声出力部６）等への電力を停止することによって消費電力を節減するモードである。第１の実施形態に係る携帯ディジタル放送受信装置においては、非視聴モードとして省電力モードが用意されているものとする。なお、非視聴モードは、チューナを用いてデジタル放送を受信してないモードであればよく、上記省電力モードに限らない。例えば、携帯ディジタル放送受信装置が携帯電話としての機能を有する場合、携帯ディジタル放送受信装置には、電子メールの編集および送受信を行うモードや電話をかけるモードがあるが、これらのモードは非視聴モードである。
【００３６】
まず、視聴モード時における携帯ディジタル放送受信装置の動作を説明する。チューナ部１は、ディジタル放送が放送されている１３チャンネルから６３チャンネルの放送局のうちの指定された放送局にチューニングを行い、ディジタル放送波、例えばＯＦＤＭ復調された放送波を受信する。復調部２は、チューナ部１によって受信された放送波（例えばＯＦＤＭ放送波）を復調してトランスポートストリームを構築する。トランスポートデコーダ部３は、復調部２によって構築されたトランスポートストリームに含まれる音声ストリーム、映像ストリーム、およびセクションを分別し、それぞれを構築する。
【００３７】
トランスポートデコーダ部３により構築された音声ストリームは、ＭＰＥＧ２−ＡＡＣなどに代表される圧縮音声ストリームであり、音声復号部５によって復号される。復号された音声データは、音声出力部６によって可聴音声となって出力される。また、トランスポートデコーダ部３により構築された映像ストリームは、ＭＰＥＧ２などに代表される圧縮映像ストリームであり、映像復号部７によって復号され、表示部９によって可視情報として出力（表示）される。
【００３８】
セクション解析部８は、トランスポートデコーダ部３によって構築されたセクションを受け取り解析する。解析結果は電子番組表（以下ＥＰＧと記す。）となり、適切な映像データに変換された後、表示部９により可視情報として出力（表示）される。
【００３９】
表示部９は、液晶ディスプレイおよびそれを駆動するための制御部や、映像復号部７またはセクション解析部８から得られた映像データを所定の形式（例えば、液晶ディスプレイに表示可能なＮＴＳＣ形式）に変換するデータ形式変換部などから構成される。表示部９は、映像復号部７から得られた映像データとセクション解析部８から得られた映像データとを重ね合わせて表示するためのＯＳＤプレーンを備えていてもよい。
【００４０】
以上のように、視聴モード時には、チューナ部１によってディジタル放送の放送波が受信され、チューナ部１によって受信された放送波に含まれる番組の映像および音声が出力される。これによって、ユーザは番組を視聴することができる。一方、省電力モード時には、番組の視聴が停止される。以下、省電力モード時の動作について説明する。
【００４１】
モード切替部１０は、所定のモード切替条件が満たされることを条件として、視聴モードと省電力モードとを切り替える。視聴モードから省電力モードへ切り替わるときのモード切替条件（省電力モード切替条件）としては、例えば、携帯ディジタル放送受信装置が有する省電力ボタンがユーザによって操作されたことや、表示部９へ可視情報の出力が停止したこと等が挙げられる。また、携帯ディジタル放送受信装置が開閉式の構成を有し、閉じた状態では画面表示を行わない構成である場合、携帯ディジタル放送受信装置が閉じた状態になったことを省電力モード切替条件としてもよい。一方、省電力モードから視聴モードへ切り替わるときのモード切替条件（視聴モード切替条件）としては、例えば、携帯ディジタル放送受信装置が有する復帰ボタンがユーザによって操作されたことや、表示部９へ可視情報の出力が再開したこと等が挙げられる。また、携帯ディジタル放送受信装置が開閉式である場合、携帯ディジタル放送受信装置が開いた状態になったことを視聴モード切替条件としてもよい。なお、ここで挙げたモード切替条件は一例であり、視聴モードと非視聴モードとを切り替える方法は、ディジタル放送が視聴されているのか否かが検出できればどのような方法であってもよい。
【００４２】
視聴モード時において上記省電力モード切替条件が満たされると、モード切替部１０は、番組の映像および音声を出力するための動作を一時的に休止させる。復調部２、トランスポートデコーダ部３、関連情報記憶部４、音声復号部５、音声出力部６、映像復号部７、セクション解析部８、および表示部９を出力部と呼ぶこととすると、モード切替部１０は、出力部の少なくとも一部の動作を休止させる。また、モード切替部１０は、省電力モード中における各部の制御を行う。一方、省電力モード時において上記視聴モード切替条件が満たされると、モード切替部１０は、休止していた出力部の動作を再開させる。
【００４３】
関連情報記憶部４は、視聴モードから省電力モードへ移行した場合、省電力モード時にチューナ部１によって受信される放送波から得られる番組関連情報を記憶する。ここで、番組関連情報とは、番組に関する画像情報をいい、例えば、番組のＥＰＧの情報や番組の映像の情報である。第１の実施形態においては、関連情報記憶部４は、セクション解析部８によって解析されたＥＰＧを一時的に記憶する。なお、他の実施形態においては、関連情報記憶部４は、ＥＰＧに代えて、トランスポートデコーダ部３によって構築された映像ストリームを記憶するようにしてもよい（後述する第２の実施形態）。なお、各放送局のＥＰＧを記憶するためのフォーマットは特に規定されるものではなく、放送局とＥＰＧとの対応が正しく保存され、必要に応じて適切な放送局のＥＰＧを読み出すことができれば、どのようなフォーマットであってもよい。
【００４４】
関連情報表示制御部１１は、省電力モードから視聴モードへ移行した後の所定のタイミングで、当該省電力モード時に関連情報記憶部４に記憶された番組関連情報（第１の実施形態では、ＥＰＧ情報）を表示させる（後述する図５、図１０参照）。なお、第１の実施形態においては、所定のタイミングとは、省電力モードから視聴モードへ移行した直後のタイミングである。すなわち、第１の実施形態では、省電力モードから視聴モードへ復帰したことに応じて、受信可能なチャンネルについてＥＰＧが表示される。したがって、ユーザは、省電力モードから視聴モードへ復帰した時点における各チャンネルの番組内容を、選局操作を行うことなしに知ることができる。それ故、第１の実施形態によれば、省電力モードから視聴モードへ復帰した際のユーザの操作を簡易にすることができる。
【００４５】
なお、携帯ディジタル放送受信装置は、ＣＰＵおよびメモリを有するコンピュータによって構成され、ＣＰＵが所定のプログラムを実行することによって各部の機能を実現するものであってもよい。例えば、上記チューナ部１、音声出力部６および表示部９以外の構成要素（後述する実施形態における時刻決定部１２、時刻記憶部１３、リスト記憶部１４、リスト更新部１５を含む）の一部または全部は、ＣＰＵおよびメモリによって実現されてもよい。
【００４６】
次に、省電力モード時における携帯ディジタル放送受信装置の詳細な動作を説明する。図２は、第１の実施形態における携帯ディジタル放送受信装置の省電力モードにおける処理の流れを示すフローチャートである。なお、図２に示すフローチャートは、視聴モードにおいて、予め定められた上記省電力モード切替条件が満たされることによって開始される。
【００４７】
省電力モードにおいては、まず、モード切替部１０は、上記出力部の少なくとも一部の動作を休止させる（ステップＳ１）。具体的には、モード切替部１０は、音声復号部５、音声出力部６、映像復号部７、および表示部９の動作を休止させる。省電力モードにおいては、ステップＳ１の後、ステップＳ２〜Ｓ８の処理が、視聴モード切替条件が満たされるまで繰り返し行われる。なお、図２においては省電力モードから視聴モードへの復帰タイミングを示していないが、視聴モードへの復帰は実際には割り込みによって実現され、Ｓ１からＳ９の任意のステップにおいて視聴モードへの復帰処理が実行される。
【００４８】
ステップＳ１の次に、チューナ部１は、チャンネルｉ（ｉは１３から６３までの整数）を選局して、チャンネルｉの放送波を受信する（ステップＳ２）。ここで、チューナ部１は、１回のステップＳ２において１つのチャンネルを選局し、１３から６３チャンネルまでの各チャンネルを１つのチャンネルずつ順にチャンネルｉとして選局する。したがって、チューナ部１は、各チャンネルの放送波を時分割で受信する。また、６３チャンネルまで選局された次のステップＳ２では、１３チャンネルが再度選局され、以降、１３チャンネルから６３チャンネルが順に繰り返し選局される。なお、ここでは１３チャンネルから６３チャンネルまで昇順に選局する例に挙げたが、降順に選局してもよい。また、チューナ部１が受信可能なチャンネルを示すチャンネルリストを用意し、チャンネルリストに示されているチャンネルのみについて選局を行うようにしてもよく、任意の方法で選局するチャンネルを決定すればよい。
【００４９】
ステップＳ２の次に、携帯ディジタル放送受信装置は、ステップＳ２で選局・受信されたチャンネルｉの放送波からＥＰＧを取得する（ステップＳ３）。具体的には、復調部２によって当該放送波が復調されてトランスポートストリームが構築された後、トランスポートデコーダ部３によってトランスポートストリームが音声ストリーム、映像ストリーム、およびセクションに分別されて構築される。さらに、構築されたセクションからセクション解析部８によってＥＰＧが取得される。ステップＳ３の次に、関連情報記憶部４は、ステップＳ３で取得されたＥＰＧを記憶する（ステップＳ４）。ステップＳ４で記憶されたＥＰＧは、チャンネルｉと関連付けて記憶される。なお、上述のステップＳ３およびＳ４の処理は、ステップＳ２においてチャンネルｉの放送波を受信することができた場合に実行され、当該放送波を受信することができなかった場合にはＥＰＧは記憶されない。
【００５０】
ステップＳ４の次に、モード切替部１０は、１３チャンネルから６３チャンネルまでの全てのチャンネルが選局されたか否かを判定する（ステップＳ５）。ステップＳ５の判定の結果、選局されていないチャンネルが存在する場合、全てのチャンネルが選局されるまでステップＳ２〜Ｓ４の処理が繰り返される。一方、全てのチャンネルが選局された場合、モード切替部１０は、最省電力モードに移行する（ステップＳ６）。最省電力モードとは、ディジタル放送の受信を行わないことによって、前述の省電力モードよりもさらに電力消費を削減するモードである。また、最省電力モードも非視聴モードの１つである。ステップＳ６においては、モード切替部１０は、チューナ部１、復調部２、およびトランスポートデコーダ部３の動作を休止させる。
【００５１】
ステップＳ６の次に、モード切替部１０は、予め定められた所定時間Ｔ１だけ待機する（ステップＳ７）。この所定時間Ｔ１が、最省電力モードが継続する時間である。ステップＳ７の次に、モード切替部１０は、最省電力モードから省電力モードへモードを切り替える（ステップＳ８）。具体的には、モード切替部１０は、チューナ部１、復調部２、およびトランスポートデコーダ部３の動作を再開させる。ステップＳ８の後、処理はステップＳ２に戻る。
【００５２】
図３は、省電力モード時における放送波の受信状況を示す図である。図３においては、１３チャンネルを視聴していた時刻ｔ１において、視聴モードから省電力モードへ移行したものとする。時刻ｔ１の後、携帯ディジタル放送受信装置は、１３チャンネルから６３チャンネルまで順に選局し、受信可能なチャンネルについてはＥＰＧを取得していく（ステップＳ２〜Ｓ４）。そして、６３チャンネルまで選局した後、時刻ｔ２において最省電力モードに移行する（Ｓ６）。最省電力モードに移行してから所定時間Ｔ１だけ経過した時刻ｔ３において１３チャンネル１３が再び選局され、以降６３チャンネルまで順に選局される。なお、最省電力モードの時間の長さ（所定時間Ｔ１）は、任意に定めることができる。最省電力モード時間を長くすることによって省電力化の効率が向上する。一方、最省電力モード時間を長くした場合には、その間に更新されたＥＰＧが放送される可能性が高くなる。最省電力モード中にＥＰＧが更新されて放送されてしまった場合において、もし最省電力モードから視聴モードへ復帰してしまうと、最新のＥＰＧが携帯ディジタル放送受信装置において取得されていないこととなる。つまり、視聴モードへ復帰した時に古い情報のＥＰＧが表示されてしまう可能性がある。なお、この問題を解決する方法は第３の実施形態に詳しく記載する。
【００５３】
次に、省電力モード（または最省電力モード）から視聴モードへ復帰した際の携帯ディジタル放送受信装置の動作を説明する。図４は、第１の実施形態における、省電力モードから視聴モードへ復帰する際の処理の流れを示すフローチャートである。なお、図４に示すフローチャートは、省電力モード時において、予め定められた上記視聴モード切替条件が満たされることによって開始される。
【００５４】
省電力モードにおいて、まず、関連情報表示制御部１１はチャンネルｉ（ｉは１３から６３までの整数）を指定する（ステップＳ１１）。ここで、チューナ部１は、１回のステップＳ１１において１つのチャンネルを選局し、１３から６３チャンネルまでの各チャンネルを１つのチャンネルずつ順にチャンネルｉとして選局する。なお、ここでは１３チャンネルから６３チャンネルまで昇順に選局する例に挙げたが、降順に選局してもよい。また、他の実施形態においては、省電力モード時においてチューナ部１が受信可能であったチャンネルを記憶しておき、受信可能なチャンネルのみについて選局を行うようにしてもよい。受信可能なチャンネルのみについて選局を行う場合には、次に示すステップＳ１２の処理は不要となる。
【００５５】
ステップＳ１１の次に、関連情報表示制御部１１は、ステップＳ１１で指定したチャンネルｉについてのＥＰＧが関連情報記憶部４に記憶されているか否かを判定する（ステップＳ１２）。ステップＳ１２の判定において、チャンネルｉについてのＥＰＧが記憶されている場合、関連情報表示制御部１１は、チャンネルｉについてのＥＰＧの表示位置および表示領域の大きさを決定する（ステップＳ１３）。ここでは、省電力モードに移行する直前に受信していたチャンネルのＥＰＧは、表示部９の画面の左上部分に相対的に大きく配置される。また、それ以外のチャンネルのＥＰＧは、画面の右側部分または下側部分に相対的に小さく配置される（後述する図５参照。）。なお、表示位置および表示領域の大きさの決定方法は、どのような方法であってもよい。一方、ステップＳ１２の判定において、チャンネルｉについてのＥＰＧが記憶されていない場合、ステップＳ１３の処理はスキップされ、ステップＳ１４の処理が行われる。
【００５６】
ステップＳ１２の判定が否定であった場合、または、ステップＳ１３の次に、関連情報表示制御部１１は、受信し得る全てのチャンネル（１３〜６３チャンネル）を指定したか否かを判定する（ステップＳ１４）。ステップＳ１４の判定の結果、指定されていないチャンネルが存在する場合、全てのチャンネルが指定されるまでステップＳ１１〜Ｓ１３の処理が繰り返される。一方、全てのチャンネルが指定された場合、モード切替部１０は、表示部９の動作を復帰させる（ステップＳ１５）。次に、関連情報表示制御部１１は、ステップＳ１３で決定した表示位置および大きさで、関連情報記憶部４に記憶されている各チャンネルのＥＰＧを表示部９に表示させる（ステップＳ１６）。
【００５７】
図５は、第１の実施形態に係る携帯ディジタル放送受信装置に番組関連情報が表示された一例を示す図である。図５においては、携帯ディジタル放送受信装置の表示部９には、省電力モードに移行する直前に視聴していた放送局のＥＰＧ情報２１が左上部に大きめに表示される。また、ＥＰＧ情報２１の右側および下側には、その他の放送局であってＥＰＧ情報を取得することができた放送局のＥＰＧ情報２２〜２６が、ＥＰＧ情報２１の周りを取り囲むように表示される。
【００５８】
なお、図４においてはステップＳ１６の後の処理を示していないが、ステップＳ１６の後、携帯ディジタル放送受信装置は、ユーザによる選局操作を受け付け、ＥＰＧが表示されている各チャンネルの中から１つのチャンネルがユーザによって選局されるのを待つ。そして、ユーザによってチャンネルが選局されると、選局されたチャンネルの放送波をチューナ部１が受信し始めるとともに、省電力モード時に休止されていた各部の動作が再開される。すなわち、モード切替部１０は、ステップＳ１で休止されていた、音声復号部５、音声出力部６、および映像復号部７の動作を再開させる。これによって、番組の視聴を開始することができる。
【００５９】
以上のように、第１の実施形態によれば、省電力モードから視聴モードへ復帰したことに応じて、省電力モード中に取得されたＥＰＧが自動的に表示される（図５参照。）。したがって、ユーザは、表示されたＥＰＧを参照して好みの番組を選局することができるので、各チャンネルを総当たりで選局して好みの番組を探す必要がなく、簡単に素早く選局を行うことができる。
【００６０】
なお、図２においては、１３チャンネルから６３チャンネルまでの全てのチャンネルを選局した後で最省電力モードに移行するようにしたが、１つのチャンネルを選局する毎に最省電力モードに移行するようにしてもよい。図６は、第１の実施形態の変形例における、省電力モードの処理の流れを示すフローチャートである。なお、図２におけるステップと同様の処理を行うステップについては、図２と同様のステップ番号を付している。図６に示すように、この変形例では、１つのチャンネルのＥＰＧを取得した後、最省電力モードに移行する（ステップＳ６）。そして、所定時間Ｔ２だけ待機して（ステップＳ７）、省電力モードに復帰する（ステップＳ８）。また、図７は、図６に示す処理を行う場合における、省電力モード時の放送波の受信状況を示す図である。図７に示すように、この変形例では、１つのチャンネルについてＥＰＧを取得してから次のチャンネルについてＥＰＧを取得するまでの時間が所定時間Ｔ２となる。
【００６１】
また、第１の実施形態においては、省電力モードにおいて、トランスポートデコーダ部３から得られるセクションをセクション解析部８によって解析し、解析されたＥＰＧを関連情報記憶部４に記憶した。ここで、他の実施形態においては、省電力モード中にはセクションをセクション解析部８で解析することなく関連情報記憶部４へ記憶しておき、省電力モードから視聴モードへ復帰した際に、関連情報記憶部４に記憶しておいたセクションをセクション解析部８によって解析するようにしてもよい。これによっても、省電力モードから視聴モードへ復帰した際にＥＰＧを表示することができる。また、省電力モードにおいてセクション解析部８を動作させる必要がないので、省電力モードにおいてセクション解析部８を休止させることによって、消費電力をさらに削減することができる。
【００６２】
（第２の実施形態）
以下、本発明の第２の実施形態に係る携帯ディジタル放送受信装置について説明する。なお、第２の実施形態が前述の第１の実施形態と異なる点は、番組関連情報を映像ストリームとした点である。なお、第２の実施形態に係る携帯ディジタル放送受信装置の構成は図１と同様であるので、詳細な説明は省略する。
【００６３】
図８は、第２の実施形態に係る携帯ディジタル放送受信装置の省電力モードにおける処理の流れを示すフローチャートである。なお、図８に示すフローチャートは、第１の実施形態と同様、視聴モード時において省電力モード切替条件が満たされることによって開始される。また、図８において第１の実施形態と同様の処理を行うステップについては、図２と同様のステップ番号を付し、詳細な説明を省略する。
【００６４】
第２の実施形態においては、ステップＳ２でチャンネルｉの放送波が受信されると、ステップＳ２１の処理が行われる。すなわち、携帯ディジタル放送受信装置は、ステップＳ２で選局・受信されたチャンネルｉの放送波から映像ストリームを取得する（ステップＳ２１）。具体的には、復調部２によって当該放送波が復調されてトランスポートストリームが構築された後、トランスポートデコーダ部３によってトランスポートストリームが音声ストリーム、映像ストリーム、およびセクションに分別されて構築される。これによって、映像ストリームを得ることができる。ステップＳ２１の次に、関連情報記憶部４は、ステップＳ２１で取得された映像ストリームを記憶する（ステップＳ２２）。なお、ステップＳ２２では、予め定められた所定時間分のデータ量の映像ストリームが記憶される。この所定時間はどのような長さであってもよく、例えば１フレーム分の静止画を記憶するようにしてもよい。また、ステップＳ２２で記憶された映像ストリームは、チャンネルｉと関連付けて記憶される。なお、上述のステップＳ２１およびＳ２２の処理は、ステップＳ２においてチャンネルｉの放送波を受信することができた場合に実行され、当該放送波を受信することができなかった場合には映像ストリームは記憶されない。ステップＳ２２の後のステップＳ６〜Ｓ８の処理は、第１の実施形態と同様である。
【００６５】
図９は、第２の実施形態における、省電力モードから視聴モードへ復帰する際の処理の流れを示すフローチャートである。なお、図９に示すフローチャートは、第１の実施形態と同様、省電力モード時において視聴モード切替条件が満たされることによって開始される。また、図９において第１の実施形態と同様の処理を行うステップについては、図４と同様のステップ番号を付し、詳細な説明を省略する。
【００６６】
第２の実施形態では、ステップＳ１１の次に、関連情報表示制御部１１は、ステップＳ１１で指定したチャンネルｉについて映像ストリームが関連情報記憶部４に記憶されているか否かを判定する（ステップＳ２５）。ステップＳ２５の判定において、チャンネルｉについての映像ストリームが記憶されている場合、関連情報表示制御部１１は、チャンネルｉについての映像ストリームの表示位置および表示領域の大きさを決定する（ステップＳ２６）。表示位置および表示領域の大きさの決定方法は、第１の実施形態のステップＳ１３と同様の方法でよい。一方、ステップＳ２５の判定において、チャンネルｉについての映像ストリームが記憶されていない場合、ステップＳ２６の処理はスキップされ、ステップＳ１４の処理が行われる。ステップＳ１４の処理は第１の実施形態と同様である。
【００６７】
また、第２の実施形態においては、全てのチャンネルが指定されたとステップＳ１４において判定された場合、モード切替部１０は、映像復号部７および表示部９の動作を復帰させる（ステップＳ２７）。第２の実施形態では、視聴モードへの復帰後に表示する対象が映像ストリームであるので、表示部９に加えて映像復号部７の動作が開始される。次に、関連情報表示制御部１１は、関連情報記憶部４に記憶されている各チャンネルの映像ストリームを映像復号部７に復号させた後、Ｓ２６で決定した表示位置および大きさで各映像ストリームを表示部９に表示させる（ステップＳ２８）。このとき、映像復号部７が一度に複数の映像ストリームを処理できない場合には、放送局ごとに時分割で処理させる。なお、映像ストリームが表示された後の動作は、第１の実施形態と同様である。
【００６８】
図１０は、第２の実施形態に係る携帯ディジタル放送受信装置に番組関連情報が表示された一例を示す図である。図１０においては、携帯ディジタル放送受信装置の表示部には、省電力モード中に受信可能であった各チャンネルの映像ストリームが表示される。なお、各チャンネルの映像ストリームについての表示位置および大きさは、第１の実施形態の場合と同様である。
【００６９】
以上の第２の実施形態において示したように、省電力モードから視聴モードへ復帰した際に表示される番組関連情報は、番組の映像ストリームであってもよい。第２の実施形態においても第１の実施形態と同様、ユーザは、表示された映像ストリームを参照して好みの番組を選局することができるので、簡単に素早く選局を行うことができる。
【００７０】
なお、第２の実施形態においては、関連情報記憶部４の記憶領域をリングバッファとし、記録すべき映像ストリームが記憶領域の容量を超える場合には、古いデータから廃棄しながら記憶するようにしてもよい。これによって、省電力モードから視聴モードへの復帰時に最新の映像ストリームを表示することが可能となる。
【００７１】
（第３の実施形態）
以下、本発明の第３の実施形態に係る携帯情報端末について説明する。なお、第３の実施形態が前述の第１の実施の形態と異なる点は、省電力モードにおいて各チャンネルについて放送波を２回目以降に受信するタイミング（時刻）を、先に取得したＥＰＧの内容に基づいて決定する点である。
【００７２】
図１１は、第３の実施形態に係る携帯ディジタル放送受信装置の構成を示す図である。図１１に示す構成は、時刻決定部１２および時刻記憶部１３をさらに備える点以外は図１に示す構成と同じであるので、図１に示す構成要素と同じ構成要素については図１と同じ参照符号を付し、詳細な説明を省略する。時刻決定部１２は、省電力モードにおいて、関連情報記憶部４に記憶されているあるチャンネルのＥＰＧの内容に基づいて、チューナ部１がそのチャンネルの放送波を次に受信すべき時刻を決定する。時刻記憶部１３は、時刻決定部１２によって決定された時刻を、対応するチャンネルと関連付けて記憶する。
【００７３】
次に、第３の実施形態における省電力モード時の処理について説明する。図１２は、第３の実施形態に係る携帯ディジタル放送受信装置の省電力モードにおける処理の流れを示すフローチャートである。なお、図１２に示すフローチャートは、第１の実施形態と同様、視聴モード時において省電力モード切替条件が満たされることによって開始される。また、図１２において第１の実施形態と同様の処理を行うステップについては、図２と同様のステップ番号を付し、詳細な説明を省略する。
【００７４】
第３の実施形態においては、ステップＳ４の次に、時刻決定部１２は、ステップＳ４で記憶されたＥＰＧに基づいて、チャンネルｉのＥＰＧを次に更新する時刻（更新時刻）ｔｉを決定する（ステップＳ３１）。具体的には、時刻決定部１２は、ステップＳ３２で記憶されたＥＰＧの内容を解析することによって、現在放送中の番組の終了時刻を取得する。この取得された終了時刻が、次の番組の開始時刻、すなわち、更新時刻ｔｉとなる。更新時刻ｔｉは、対応するチャンネルｉと関連付けて時刻記憶部１３に記憶される。これによって、ステップＳ５の判定が肯定となった時点で、放送波を受信可能なチャンネルについては次にＥＰＧを更新すべき時刻が算出されたこととなる。
【００７５】
また、第３の実施形態においては、ステップＳ６の次に、モード切替部１０は最近の更新時刻まで待機する（ステップＳ３２）。ここで、最近の更新時刻とは、時刻記憶部１３に記憶されている更新時刻のうち、現在時刻に最も近い更新時刻のことである。第３の実施形態においては、現在時刻が最近の更新時刻になると、ステップＳ７の処理が行われ、最省電力モードから省電力モードへ復帰する（ステップＳ８）。
【００７６】
ステップＳ８の次に、チューナ部１は、現在時刻が更新時刻になったチャンネル（チャンネルｊとする。ｊは１３から６３までの整数。）を選局して、チャンネルｊの放送波を受信する（ステップＳ３３）。次に、携帯ディジタル放送受信装置は、ステップＳ３３で選局・受信されたチャンネルｊの放送波からＥＰＧを取得する（ステップＳ３４）。ＥＰＧの取得方法は、前述したステップＳ３と同様である。ステップＳ３４の次に、関連情報記憶部４は、ステップＳ３４で取得されたＥＰＧを記憶する（ステップＳ３５）。ステップＳ３５の次に、時刻決定部１２は、ステップＳ３５で記憶されたＥＰＧに基づいて、チャンネルｊのＥＰＧを次に更新する時刻（更新時刻）ｔｊを決定する（ステップＳ３６）。ステップＳ３６における更新時刻の決定方法は、前述したステップＳ３１と同様である。また、ステップＳ３６で更新時刻ｔｊが決定されると、時刻記憶部１３に記憶されているチャンネルｊの更新時刻がｔｊに更新される。これによって、最新のＥＰＧに基づいて更新時刻を決定することができる。以降、上記ステップＳ６〜Ｓ３５の処理が繰り返されることによって、最新のＥＰＧを取得することができる。
【００７７】
なお、上記ステップＳ３３でチャンネルｊの放送波を受信することができなかった場合、時刻決定部１２は、チャンネルｊの更新時刻を時刻記憶部１３から削除するようにしてもよい。また、この場合、放送エリアが変化している可能性があるので、ステップＳ２に戻って、受信し得る全てのチャンネルを選局し直すようにしてもよい。
【００７８】
図１３は、第３の実施形態における、省電力モード時の放送波の受信状況を示す図である。図１３においては、１３チャンネルを視聴していた時刻ｔ１において、視聴モードから省電力モードへ移行したものとする。時刻ｔ１の後、携帯ディジタル放送受信装置は、１３チャンネルから６３チャンネルまで順に選局し、受信可能なチャンネルについてはＥＰＧを取得していく（ステップＳ２〜Ｓ５）。これによって、放送波を受信可能なチャンネルについては、次にＥＰＧを更新すべき時刻が算出される。その結果、図１３においては最近の更新時刻がｔ１４（１４チャンネルに対応する）となるものとする。したがって、携帯ディジタル放送受信装置は、時刻ｔ１４となった時点で、１４チャンネルについてＥＰＧを取得する（ステップＳ３４）。また、１４チャンネルについて新たな更新時刻（図１３においては、ｔ１４’と示す。）を決定する（ステップＳ３６）。以降、現在時刻が最近の更新時刻になる度に、携帯ディジタル放送受信装置は、当該最近の更新時刻に対応するチャンネルのＥＰＧを取得する処理を繰り返す。なお、省電力モードから視聴モードへ移行する際の処理は、第１の実施形態と同様である。
【００７９】
以上のように、第３の実施形態によれば、必要になった時点でＥＰＧの取得処理が行われるので、効率よく最省電力モードに切り替えることができる。したがって、最省電力モードの時間をできるだけ長くすることによって省電力効率を向上させつつ、常に最新のＥＰＧを取得することによって、ＥＰＧが誤表示されてしまうことを防止することができる。
【００８０】
なお、ＥＰＧには、現在放送されている番組の他に今後放送が予定されている番組が放送順に複数記録されている場合がある。このような場合には、各番組の終了時刻を更新時刻として記憶しておくようにしてもよい。さらにこの場合、現在時刻よりも前になった更新時刻を削除するようにしてもよい。
【００８１】
（第４の実施形態）
以下、本発明の第４の実施形態に係る携帯情報端末について説明する。第４の実施形態は、省電力モードから視聴モードへの復帰時に、正しいチャンネルリストを保持することを目的とする。
【００８２】
図１４は、第４の実施形態に係る携帯ディジタル放送受信装置の構成を示す図である。図１４に示す構成は、リスト記憶部１４およびリスト更新部１５をさらに備える点以外は図１に示す構成と同じであるので、図１に示す構成要素と同じ構成要素については図１と同じ参照符号を付し、詳細な説明を省略する。リスト記憶部１４は、チューナ部１によって受信可能なディジタル放送のチャンネルを示すチャンネルリストを記憶する。リスト更新部１５は、省電力モードにおいて、チューナ部１によって受信可能なチャンネルを特定する。さらに、特定されたチャンネルで構成されるようにチャンネルリストを更新する。なお、第４の実施形態においても第２および第３の実施形態と同様、視聴モード時における番組を視聴するための処理は第１の実施形態と同様である。
【００８３】
次に、第４の実施形態における携帯ディジタル放送受信装置の省電力モードにおける処理を説明する。図１５は、第４の実施形態に係る携帯ディジタル放送受信装置の省電力モードにおける処理の流れを示すフローチャートである。なお、図１５に示すフローチャートは、第１の実施形態と同様、視聴モード時において省電力モード切替条件が満たされることによって開始される。また、図１５において第１の実施形態と同様の処理を行うステップについては、図２と同様のステップ番号を付し、詳細な説明を省略する。
【００８４】
第４の実施形態においては、まず、リスト記憶部１４は、直前の視聴モードにおいて受信していたチャンネルの地域識別情報を記憶する（ステップＳ４１）。地域識別情報とは、放送波に含まれる情報であって、その放送が行われている地域を識別することが可能な情報である。この地域識別情報を用いて、ある放送エリアから他の放送エリアへと移動したことを検出することができる。
【００８５】
また、第４の実施形態においては、ステップＳ２の処理に代えてステップＳ４２の処理が行われる。ステップＳ４２では、チューナ部１は、リスト記憶部１４に記憶されているチャンネルリストにより示されるチャンネルの中から１つのチャンネルｉを選局する。ここで、チャンネルｉは、チャンネルリスト内のチャンネルから１つのチャンネルずつ順に選局され、１回のステップＳ４２において１つのチャンネルが選局される。つまり、チューナ部１は、チャンネルリスト内のチャンネルを時分割で選局する。
【００８６】
ステップＳ４の次に、携帯ディジタル放送受信装置は、地域識別情報を取得する（ステップＳ４３）。具体的には、ステップＳ３でトランスポートデコーダ部３によって構築されたセクションをセクション解析部８が解析することによって、地域識別情報を取得することができる。
【００８７】
ステップＳ４３の次に、リスト更新部１５は、放送エリアが変化したか否かを判定する（ステップＳ４４）。この判定は、ステップＳ４３で取得された地域識別情報を用いて行うことができる。すなわち、ステップＳ４１で記憶した地域識別情報により示される地域と、ステップＳ４３で取得された地域識別情報により示される地域とを比較し、両者が同じであれば放送エリアが変化していないと判定することができる。逆に、両者が異なっていれば放送エリアが変化していないと判定することができる。なお、両者が異なっていても、放送エリアが変化していないと判定することができる場合（例えば、“大阪”と“近畿”のような場合）には、放送エリアが変化していないと判定してもよい。
【００８８】
ステップＳ４４の判定において、放送エリアが変化したと判定された場合、リスト更新部１５は、リスト記憶部１４に記憶されているチャンネルリストの内容を更新する（ステップＳ４５）。ここで、携帯ディジタル放送受信装置においては、放送エリアと当該放送エリア内で受信可能なチャンネルを示すチャンネルリストとの対応は予め用意されているものとする。したがって、ステップＳ４５において、リスト更新部１５は、リスト記憶部１４に記憶される内容を、変化後の放送エリアに対応するチャンネルリストの内容に更新する。つまり、第４の実施形態においては、「変化後の放送エリアに対応するチャンネルリストに含まれるチャンネルが、その時点で受信可能なチャンネルである」とみなして、チャンネルリストの内容を更新する。
【００８９】
なお、リスト更新部１５によってチャンネルリストが更新された場合、その後のステップＳ４２においては、更新後のチャンネルリスト内に含まれるチャンネルの中から１つのチャンネルが選局される。また、ステップＳ４５においては、ステップＳ４１で記憶された地域識別情報の内容が、直前のステップＳ４３で取得された地域識別情報の内容に更新される。
【００９０】
一方、ステップＳ４４の判定において、放送エリアが変化していないと判定された場合（すなわち、判定が否定であった場合）、ステップＳ４５の処理はスキップされる。ステップＳ４４の判定が否定であった場合、または、ステップＳ４５の次に、ステップＳ５の処理が行われる。ステップＳ５以降の処理は第１の実施形態と同様である。
【００９１】
以上に示した第４の実施形態によれば、省電力モード中に地域識別情報を取得することによって、省電力モード中に放送エリアが変化しても、その変化を検出することができる。したがって、携帯ディジタル放送受信装置は、省電力モード中に放送エリアが変化しても、適切なチャンネルリストを保持することができる。それ故、省電力モードから視聴モードへ移行する際に、正しいチャンネルリストを構築する必要がない。なお、第４の実施形態において、省電力モードから視聴モードへ移行する際の処理は、第１の実施形態と同様である。
【００９２】
なお、第４の実施形態においては、省電力モードから視聴モードへの移行時においてチャンネルリストが実際の放送エリアに合致したものとなっていればよく、視聴モードに復帰した際に番組関連情報を表示させなくともよい。すなわち、第４の実施形態に係る携帯ディジタル放送受信装置は、関連情報表示制御部１１を備えていない構成であってもよく、図１５のステップＳ３およびＳ４を実行しないようにしてもよい。なお、視聴モードに復帰した際に番組関連情報が表示されない場合であっても、視聴モードに復帰した際にチャンネルリストが更新されることによって、例えば次のようなメリットがある。すなわち、前のチャンネルを選局したり次のチャンネルを選局したりする処理を行うためのボタンを携帯ディジタル放送受信装置が有する場合、視聴モード復帰時に適切なチャンネルリストが作成されていることによって、この処理を正しく行うことができる。なお、前のチャンネルを選局する処理とは、チャンネルリスト内の各チャンネルのうち、現在選局中のチャンネルの１つ前のチャンネルを選局する処理である。また、次のチャンネルを選局する処理とは、チャンネルリスト内の各チャンネルのうち、現在選局中のチャンネルの１つ後のチャンネルを選局する処理である。
【００９３】
また、第４の実施形態においては、リスト更新部１５は、放送波に含まれている地域識別情報を用いて、チューナ部１によって受信可能なチャンネルを判断した。ここで、他の実施形態においては、リスト更新部１５は、受信し得る全てのチャンネル（１３〜６３チャンネル）をチューナ部１に実際に選局させることによって、各チャンネルの放送波が受信可能であるか否かを判断するようにしてもよい。具体的には、図１５に示すステップＳ４２において、受信し得る全てのチャンネル（１３〜６３チャンネル）をチューナ部１に選局させる。そして、図１５に示すステップＳ５が終了した時点で、リスト更新部１５は、ＥＰＧが取得されたチャンネル（すなわち、受信可能なチャンネル）によって構成されるチャンネルリストを、新たなチャンネルリストとする。なお、このとき、図１５に示すステップＳ４３〜Ｓ４５の処理を実行する必要はない。
【００９４】
以上、上記第１〜第４の実施形態によれば、省電力モード中においてもチューナ部１によって放送を受信することによって、省電力モードから視聴モードに復帰した際にＥＰＧ等を表示したり、チャンネルリストを適切な内容に保持したりすることが可能となる。したがって、非視聴モードから視聴モードへ復帰した際のユーザの操作を簡易にすることができる。
【００９５】
なお、上記第１〜第４の実施形態においては、省電力モードから視聴モードへ復帰した直後のタイミングで番組関連情報が表示された。ここで、他の実施形態においては、省電力モードから視聴モードに復帰した後においてユーザが選局操作を行ったことに応じて番組関連情報を表示するようにしてもよい。具体的には、省電力モードから視聴モードに復帰した時点では、省電力モードに移行する直前に視聴されていたチャンネルの番組が出力される。そして、当該番組の視聴中にユーザが選局操作を行ったことをトリガとして図４に示す処理の実行を開始する。
【００９６】
また、上記第１〜第４の実施形態においては、非視聴モードが省電力モードである場合を例にとって説明したが、非視聴モードはこれに限らない。例えば、メールの編集および送受信を行う機能を携帯ディジタル放送受信装置が有する場合には、非視聴モードは、電子メールの編集および送受信を行うモード（メールモード）であってもよい。視聴モード中に携帯ディジタル放送受信装置が電子メールを受信する状況も考えられるからである。非視聴モードがメールモードである場合、視聴モードからメールモードへ移行する条件は、例えば、メールが受信されたことである。また、この場合、メールモードから視聴モードへ移行する条件は、例えば、視聴モードに復帰するボタンをユーザが操作したことである。
【００９７】
また、携帯ディジタル放送受信装置が電話機能を有する場合には、非視聴モードは、通話を行うモード（通話モード）であってもよい。非視聴モードが通話モードである場合には、番組の視聴中に電話がかかってきたために視聴が中断し、電話を切った後で視聴が再開されるような状況においても、視聴が再開した際に番組関連情報を表示することができる。なお、視聴モードから通話モードへ移行する条件は、例えば、電話がかかってきたことである。また、通話モードから視聴モードへ移行する条件は、例えば、電話を切ったことである。なお、上記メールモードや通話モードのように、非視聴モードにおいても表示部９や音声出力部６を動作させる必要がある場合、図２のステップＳ１の処理は実行されなくてもよい。あるいは、必要な構成要素のみ動作させるようにしてもよい。
【００９８】
また、非視聴モードは、上記の他にも、例えば、携帯ディジタル放送受信装置を充電器で充電するモード（充電モード）であってもよい。なお、視聴モードから充電モードへ移行する条件は、例えば、携帯ディジタル放送受信装置が充電器に装着されたことである。また、充電モードから視聴モードへ移行する条件は、例えば、携帯ディジタル放送受信装置が充電器から取り外されたことである。
【産業上の利用可能性】
【００９９】
以上のように、本発明に係るディジタル放送受信装置は、非視聴モードから視聴モードへ復帰した際のユーザの操作を簡易にすること等を目的として利用することができ有用である。
【図面の簡単な説明】
【０１００】
【図１】第１の実施形態に係る携帯ディジタル放送受信装置の構成を示す図
【図２】第１の実施形態における携帯ディジタル放送受信装置の省電力モードにおける処理の流れを示すフローチャート
【図３】省電力モード時における放送波の受信状況を示す図
【図４】第１の実施形態における、省電力モードから視聴モードへ復帰する際の処理の流れを示すフローチャート
【図５】第１の実施形態に係る携帯ディジタル放送受信装置に番組関連情報が表示された一例を示す図
【図６】第１の実施形態の変形例における、省電力モードの処理の流れを示すフローチャート
【図７】図６に示す処理を行う場合における、省電力モード時の放送波の受信状況を示す図
【図８】第２の実施形態に係る携帯ディジタル放送受信装置の省電力モードにおける処理の流れを示すフローチャート
【図９】第２の実施形態における、省電力モードから視聴モードへ復帰する際の処理の流れを示すフローチャート
【図１０】第２の実施形態に係る携帯ディジタル放送受信装置に番組関連情報が表示された一例を示す図
【図１１】第３の実施形態に係る携帯ディジタル放送受信装置の構成を示す図
【図１２】第３の実施形態に係る携帯ディジタル放送受信装置の省電力モードにおける処理の流れを示すフローチャート
【図１３】第３の実施形態における、省電力モード時の放送波の受信状況を示す図
【図１４】第４の実施形態に係る携帯ディジタル放送受信装置の構成を示す図
【図１５】第４の実施形態に係る携帯ディジタル放送受信装置の省電力モードにおける処理の流れを示すフローチャート
【符号の説明】
【０１０１】
１  チューナ部
２  復調部
３  トランスポートデコーダ部
４  記憶部
５  音声復号部
６  音声出力部
７  映像復号部
８  セクション解析部
９  表示部
１０  モード切替部
１１  関連情報表示制御部
１２  時刻決定部
１３  時刻記憶部
１４  リスト記憶部
１５  リスト更新部
【図１】
2006165670.tif 000003
【図２】
2006165670.tif 000004
【図３】
2006165670.tif 000005
【図４】
2006165670.tif 000006
【図５】
2006165670.tif 000007
【図６】
2006165670.tif 000008
【図７】
2006165670.tif 000009
【図８】
2006165670.tif 000010
【図９】
2006165670.tif 000011
【図１０】
2006165670.tif 000012
【図１１】
2006165670.tif 000013
【図１２】
2006165670.tif 000014
【図１３】
2006165670.tif 000015
【図１４】
2006165670.tif 000016
【図１５】
2006165670.tif 000017